(57)【要約】【課題】空調システムを利用して、加湿をした方が良い空間部と加湿をしない方が良い空間部とで空調空気の湿度を調整することが可能な住宅を得る。【解決手段】乾燥室６６内で加湿された空調空気が主寝室８０内へ流入され、主寝室８０内の湿度を上げるようになっている。一方、乾燥室６６からの空調空気が主寝室８０内を対流することで、当該空調空気の湿度は、乾燥室６６から流入された空調空気よりも低くなる。このため、主寝室８０の空調空気がウォークインクローゼット７４へ流入される段階では、当該空調空気の湿度は、乾燥室６６から流入された空調空気よりも低くなり、乾燥した空調空気とされる。つまり、空調システム１２１を利用して、主寝室８０では加湿された空調空気が流入され、ウォークインクローゼット７４では乾燥した空調空気が流入される。【選択図】図２
2020128677.tif 000002
【特許請求の範囲】
【請求項１】
空調装置によって生成された空調空気が吹出される第１空間部と、
前記第１空間部に隣接され、当該第１空間部から吹出された空調空気が流入される第２空間部と、
前記第１空間部に隣接され、当該第１空間部から吹出された空調空気は直接流入されない第３空間部と、
を有する住宅。
【請求項２】
前記第３空間部には、前記第１空間部から前記第２空間部に流入された空調空気が流入されるように設定されている請求項１に記載の住宅。
【請求項３】
前記第１空間部は物干しが可能な乾燥室である請求項１又は請求項２に記載の住宅。
【請求項４】
前記乾燥室は屋外に面しており、採光可能とされている請求項３に記載の住宅。
【請求項５】
前記第３空間部はウォークインクローゼットであり、
前記乾燥室と前記ウォークインクローゼットの間には開閉扉が設けられ、前記開閉扉が閉止された状態で当該乾燥室から当該ウォークインクローゼットへの空調空気の流れは遮断される請求項３又は請求項４に記載の住宅。
【請求項６】
前記空調空気が供給される供給経路は、
前記第１空間部から前記第２空間部へ前記空調空気が流入される流入方向に対して、反対方向へ向かって前記第２空間部から前記第３空間部へ前記空調空気が流出するように設定されている請求項１〜請求項５の何れか１項に記載の住宅。
【発明の詳細な説明】
【技術分野】
【０００１】
本発明は、住宅に関する。
【背景技術】
【０００２】
例えば、特許文献１には、居室空間の空調を行う建物（住宅）の空調システムを利用し、空調装置によって生成された空調空気によって衣類の乾燥を行うとともに、衣類の乾燥に用いた空調空気を利用して居室空間の加湿を行う技術が開示されている。
【特許文献１】特開２０１７−１２２５５３号公報
【発明の開示】
【発明が解決しようとする課題】
【０００３】
上記先行技術では、前述のように、衣類の乾燥を行う乾燥室から居室空間に空調空気を導くことで居室空間の加湿は可能となるが、加湿をしない方が良い空間部も加湿されてしまう可能性が生じる。このため、加湿をした方が良い空間部、又は加湿をしない方が良い空間部において、別途加湿装置、除湿装置を用いることが考えられるが、その分コストが掛かってしまうこととなる。
【０００４】
本発明は、上記事実を考慮し、空調システムを利用して、加湿をした方が良い空間部と加湿をしない方が良い空間部とで空調空気の湿度を調整することが可能な住宅を得ることを目的とする。
【課題を解決するための手段】
【０００５】
第１の態様に係る住宅は、空調装置によって生成された空調空気が吹出される第１空間部と、前記第１空間部に隣接され、当該第１空間部から吹出された空調空気が流入される第２空間部と、前記第１空間部に隣接され、当該第１空間部から吹出された空調空気は直接流入されない第３空間部と、を有している。
【０００６】
第１の態様に係る住宅では、空調装置によって生成された空調空気が吹出される第１空間部には、第２空間部及び第３空間部が隣接している。そして、第２空間部には、第１空間部から吹出された空調空気が流入されるようになっており、第３空間部には、第１空間部から吹出された空調空気は直接流入されないようになっている。
【０００７】
すなわち、本態様では、第３空間部は第１空間部と隣接しているにも拘わらず、第１空間部へ吹出された空調空気は、第３空間部へは直接流入されない。ここで、第１空間部には、空調空気が吹出されるようになっている。このため、例えば、第１空間部を物干し部屋として利用することで、第１空間部内で濡れた洗濯物を乾燥させることができる。したがって、第１空間部内へ吹出された空調空気は、濡れた洗濯物により加湿されることとなる。
【０００８】
例えば、第１空間部と隣接する第２空間部が寝室等の居室空間である場合、第２空間部内は乾燥している場合が多く加湿する必要がある。このため、第１空間部内で加湿された空調空気が第２空間部内へ流入されることにより、第２空間部内の湿度（相対湿度）を上げることが可能となる。
【０００９】
一方、第３空間部がクローゼット等の収納空間である場合、第３空間部内は乾燥している方が好ましい。このため、前述したように、第３空間部は第１空間部と隣接しているにも拘わらず、第１空間部内で加湿された空調空気は、第３空間部へ直接流入されない。
【００１０】
すなわち、本態様では、加湿された空調空気は第２空間部へ流入され、乾燥した空調空気は第３空間部へ流入される。換言すると、本態様では、空調システムを利用して、加湿をした方が良い空間部と加湿をしない方が良い空間部とで空調空気の湿度を調整することが可能となる。
【００１１】
第２の態様に係る住宅は、第１の態様に係る住宅において、前記第３空間部には、前記第１空間部から前記第２空間部に流入された空調空気が流入されるように設定されている。
【００１２】
前述のように、第２空間部内は乾燥しているため、第１空間部内で加湿された空調空気が第２空間部内へ流入されることによって、第２空間部内の湿度は上がる。しかし、第１空間部から流入された空調空気が第２空間部内を対流することで、第２空間部内の空調空気が第３空間部へ流入される段階では、当該空調空気の湿度は下がり乾燥することとなる。
【００１３】
このため、第２の態様に係る住宅では、第３空間部には、第１空間部から第２空間部に流入された空調空気が流入されるように設定されることによって、乾燥した空調空気が流入されることになる。これにより、本態様では、空調空気が供給される供給経路を利用して、加湿をした方が良い空間部と加湿をしない方が良い空間部とで空調空気の湿度を調整することが可能となる。
【００１４】
第３の態様に係る住宅は、第１の態様又は第２の態様に係る住宅において、前記第１空間部は物干しが可能な乾燥室である。
【００１５】
第３の態様に係る住宅では、第１空間部は物干しが可能な乾燥室であり、乾燥室内で洗濯物を乾燥させることができる。第１空間部には、空調装置によって生成された空調空気が吹出すようになっているため、乾燥室内に干された濡れた洗濯物を効果的に乾燥させることができる。
【００１６】
第４の態様に係る住宅は、第３の態様に係る住宅において、前記乾燥室は屋外に面しており、採光可能とされている。
【００１７】
第４の態様に係る住宅では、乾燥室は、屋外に面しており、採光可能とされるため、屋内であっても洗濯物に太陽光を当てることができる。
【００１８】
第５の態様に係る住宅は、第３の態様又は第４の態様に係る住宅において、前記第３空間部はウォークインクローゼットであり、前記乾燥室と前記ウォークインクローゼットの間には開閉扉が設けられ、前記開閉扉が閉止された状態で当該乾燥室から当該ウォークインクローゼットへの空調空気の流れは遮断される。
【００１９】
第５の態様に係る住宅では、第３空間部はウォークインクローゼットであり、第１空間部である乾燥室とウォークインクローゼットの間には開閉扉が設けられている。このため、当該開閉扉を開放させることで、乾燥室とウォークインクローゼットは連通可能とされる。したがって、乾燥室内で乾燥させた洗濯物を乾燥室の隣に設けられたウォークインクローゼット内へ収納させることができる。つまり、家事動線がよい。
【００２０】
一方、開閉扉が閉止された状態では、乾燥室からウォークインクローゼットへの空調空気の流れは遮断されるようになっている。このため、乾燥室内で加湿された空調空気は、ウォークインクローゼット内へ流入しない。
【００２１】
第６の態様に係る住宅は、第１の態様〜第５の態様の何れか１の態様に係る住宅において、前記空調空気が供給される供給経路は、前記第１空間部から前記第２空間部へ前記空調空気が流入される流入方向に対して、反対方向へ向かって前記第２空間部から前記第３空間部へ前記空調空気が流出するように設定されている。
【００２２】
第６の態様に係る住宅では、第１空間部から第２空間部へ空調空気が流入される流入方向に対して、反対方向へ向かって第２空間部から第３空間部へ空調空気が流出するように供給経路が設定されることで、第２空間部内へ流入された空調空気は、第２空間部内でＵターンして第３空間部内へ流出することとなる。これにより、第２空間部内へ流入された空調空気を当該第２空間部内で効果的に対流させることが可能となる。
【発明の効果】
【００２３】
以上説明したように、本態様に係る住宅は、空調システムを利用して、加湿をした方が良い空間部と加湿をしない方が良い空間部とで空調空気の湿度を調整することができる、という優れた効果を有する。
【図面の簡単な説明】
【００２４】
【図１】本発明の第１の実施形態に係る住宅の１階部分の間取り図である。
【図２】本発明の第１の実施形態に係る住宅の２階部分の間取り図である。
【図３】図２に示されるＡ〜Ｎ地点において、空気の流れを説明するための縦断面図である。
【図４】本発明の第２の実施形態に係る住宅の２階部分の間取り図である。
【発明を実施するための形態】
【００２５】
以下、図面を用いて、本発明の実施の形態に係る住宅について説明する。
[第１実施形態] 
【００２６】
＜住宅の構成＞
まず、第１の実施形態に係る住宅の構成について説明する。
【００２７】
図１には、本発明の第１の実施形態に係る住宅１０の１階部分１２の間取り図が示されており、図２には、２階部分６５の間取り図が示されている。なお、本実施形態では、住宅１０は、２階建てとなっており、平面視で逆Ｌ字状を成している。
【００２８】
図１に示されるように、住宅１０は、複数の住宅ユニット１４を含んで構成されており、複数の住宅ユニット１４、１６、１８が、図示しない基礎上において、水平方向（妻方向及び桁方向）に隣り合って設置されると共に、上下に重ねられたものとなっている。なお、住宅ユニット１４、１６、１８は、妻方向、桁方向の寸法が異なる複数のサイズを備えており、住宅１０の形状等によって自由に組み合わせ可能としている。
【００２９】
各住宅ユニット１４、１６、１８は、鋼鉄製とされており、各住宅ユニット１４、１６、１８の四隅にそれぞれ立設された４本の柱２０と、柱２０の上端部にそれぞれ接合された図示しない矩形枠状の天井フレームと、柱２０の下端部にそれぞれ接合された図示しない矩形枠状の床フレームと、を備えている。
【００３０】
天井フレームは、長短二種類の図示しない天井大梁と、長辺側の天井大梁間に所定間隔で架け渡された図示しない複数本の天井小梁と、を含んで構成されている。天井フレームと同様に、床フレームは、長短二種類の図示しない床大梁と、長辺側の床大梁間に所定間隔で架け渡された図示しない複数本の床小梁と、を含んで構成されている。そして、天井小梁に天井板が固定され、床小梁に床板が固定されている。
【００３１】
（１階部分）
ここで、住宅１０の１階部分１２の間取りについて説明する。
【００３２】
図１に示されるように、図１の図面左手前側には、アルコーブ２２が設けられており、アルコーブ２２の図面奥側には、玄関部２４が設けられている。玄関部２４の図面奥側には、ホール２６が設けられている。
【００３３】
ホール２６の図面左奥側（外壁２８側）には、機械室３０が設けられており、機械室３０内には、１階部分１２用の室内機（空調装置）３２が設置されている。また、ホール２６の図面右奥側には、機械室３０と対向してクローゼット３４が設けられており、機械室３０とクローゼット３４の間には、通路３６が設けられている。つまり、ホール２６の図面奥側には、機械室３０、通路３６及びクローゼット３４が設けられている。
【００３４】
また、機械室３０の図面奥側には、外壁２８に沿ってトイレ３８が設けられており、トイレ３８の図面奥側には、外壁２８に沿って階段部４０が設けられている。ここで、階段部４０は回り階段とされており、住宅１０の奥側に配置され、通路３６の図面奥側に階段部４０の昇降口４２が設けられている。
【００３５】
一方、図１の図面右手前側の外壁４４は、図面左手前側の外壁４６よりも図面手前側に張り出しており、図面右手前側には、インナガレージ４８が設けられている。また、インナガレージ４８の図面奥側には、リビング５０とダイニング５２とキッチン５４が一体的に設けられたリビングダイニングキッチン（以下、「ＬＤＫ」という）５６が設けられている。このＬＤＫ５６の図面奥側には、外壁５８に沿って洗面室６０及び浴室６２が設けられている。浴室６２は住宅１０の奥側に配置され、当該浴室６２と階段部４０の間には、和室６４が設けられている。
【００３６】
（２階部分）
次に、住宅１０の２階部分６５の間取りについて説明する。
【００３７】
図２に示されるように、図２の図面左手前側には、洋室（以下、「乾燥室」という）６６が設けられている。なお、乾燥室（第１空間部）６６は、物干し部屋、家事室と称される場合もある。この乾燥室６６には、広い開口部６８が設けられており、開口部６８内に設けられたガラス７０を通じて採光可能とされている。
【００３８】
乾燥室６６の図面左奥側（外壁２８側）には、洗濯機置き場６７が設けられており、洗濯機置き場６７の図面奥側には、外壁２８に沿って平面視で矩形状を成すウォークインクローゼット（Ｗ・Ｉ・Ｃ）７２が設けられている。また、ウォークインクローゼット７２の図面奥側には、外壁２８に沿って階段部４０が設けられている。なお、乾燥室６６の図面右奥側には、後述するウォークインクローゼット（第３空間部）７４とウォークインクローゼット７２との間を往来可能とする通路７６が設けられている。
【００３９】
一方、図２の図面右手前側には、インナガレージ４８（図１参照）の上方にルーフバルコニー７８が設けられており、ルーフバルコニー７８の図面奥側には、主寝室（第２空間部）８０が設けられている。主寝室８０は、平面視で逆Ｌ字状を成しており、２階部分６５の外壁５８には、入隅部８２が設けられ、１階部分１２（図１参照）の屋根部８４が露出している。
【００４０】
また、主寝室８０は、乾燥室６６に隣接されており、乾燥室６６と主寝室８０とは連通可能とされている。また、主寝室８０には、前述したウォークインクローゼット７４が隣接しており、主寝室８０とウォークインクローゼット７４は連通可能とされている。
【００４１】
前述のように、ウォークインクローゼット７４は、ウォークインクローゼット７２との間に通路７６を備えており、通路７６を挟んで、ウォークインクローゼット７２とウォークインクローゼット７４との間で往来が可能とされている。つまり、通路７６を間に置いて、主寝室８０側と当該主寝室８０から離れた側とで、ウォークインクローゼット７２とウォークインクローゼット７４を分けている。
【００４２】
これにより、ウォークインクローゼット７２とウォークインクローゼット７４とで、使用頻度に応じて収納品を分けることができる。なお、本実施形態では、通路７６を含めウォークインクローゼット７２、７４が大容量のウォークインクローゼット９６として設けられている。
【００４３】
一方、通路７６及びウォークインクローゼット７４の図面奥側には、平面視で略Ｌ字状を成すホール９８が設けられている。このホール９８の一方側に階段部４０の昇降口１００が設けられている。また、ホール９８の他方側の奥側（外壁５８側）には、トイレ１０８が設けられている。
【００４４】
また、ホール９８の他方側の図面奥側には、子供部屋１１０、１１２が設けられており、子供部屋１１０は外壁５８側に設けられている。そして、子供部屋１１２において、ホール９８側の角部には、機械室１１４が設けられており、機械室１１４内には、２階部分６５用の室内機（空調装置）１１６が設置されている。
【００４５】
ところで、前述のように、本実施形態では、乾燥室６６と主寝室８０とは隣接されており、互いに連通可能とされている。また、乾燥室６６と主寝室８０の間には、ドア８６が設けられており、当該ドア８６によって、乾燥室６６と主寝室８０とは区画されている。
【００４６】
そして、図３に示されるように、当該ドア８６の下端と床部８８の間には、いわゆるアンダーカット部９０が設けられており、ドア８６が閉止された状態であっても、当該アンダーカット部９０を通じて、乾燥室６６と主寝室８０とは連通している。なお、図３は、図２に示すＡ〜Ｎ地点において、空気の流れを説明するための縦断面図を模式的に示したものである。
【００４７】
また、主寝室８０とウォークインクローゼット７４の間には、開閉扉９２が設けられている。この開閉扉９２によって、主寝室８０とウォークインクローゼット７４は区画されている。そして、開閉扉９２の上部には、ガラリ９４が設けられており、開閉扉９２が閉止された状態であっても、当該ガラリ９４を通じて、主寝室８０とウォークインクローゼット７４とは連通している。
【００４８】
さらに、図２に示されるように、乾燥室６６とウォークインクローゼット９６の通路７６とは連通可能とされている。このため、乾燥室６６と通路７６との間には、開閉扉１０６が設けられており、当該開閉扉１０６によって、乾燥室６６と通路７６とは区画されている。
【００４９】
この開閉扉１０６は、乾燥室６６の壁部６６Ａに形成された開口部６６Ｂ内に設けられているが、開閉扉１０６が閉止された状態で、当該開閉扉１０６と開口部６６Ｂの間はシールされ、通路７６と乾燥室６６との間で空気の流れは遮断されるようになっている。
【００５０】
また、ウォークインクローゼット９６の通路７６とホール９８間には、ドア１０２が設けられている。このドア１０２によって、通路７６とホール９８は区画されている。なお、ドア１０２の下端と床部８８の間には、アンダーカット部１０４（図３参照）が設けられており、ドア１０２が閉止された状態であっても、当該アンダーカット部１０４を通じて、通路７６とホール９８とは連通している。
【００５１】
さらに、ホール９８と当該ホール９８と隣接する機械室１１４との間には、ドア１１８が設けられており、このドア１１８の下端と床部８８の間には、アンダーカット部１２０（図３参照）が設けられている。このため、当該ドア１１８が閉止された状態であっても、当該アンダーカット部１２０を通じて、ホール９８と機械室１１４とは連通している。
【００５２】
ここで、本実施形態では、住宅１０には、空調システムが採用されている。空調システムは、住宅１０の屋内に設置される室内機３２（図１参照）、１１６（図２参照）及び屋外に設置される室外機（図示省略）を備えており、各室内機３２、１１６と室外機との間で冷媒が循環される。
【００５３】
本実施形態では、室内機３２は１階部分１２に設置され、室内機１１６は２階部分６５に設置されている。つまり、本実施形態では、室内機３２によって１階部分１２の空調が行われ、室内機１１６によって２階部分６５の空調が行われるようになっている。なお、１台の室内機によって１階及び２階の空調を行うようにしてもよいのは勿論のことである。
【００５４】
（空調システム）
以下の説明では、２階部分６５の空調システムを例に挙げて説明する。
【００５５】
図２、図３に示されるように、空調システム１２１には、住宅１０内において複数の吹出し口１２２を備えている。複数の吹出し口１２２は、供給ダクト１２４等の供給経路を介して室内機１１６に接続されている。
【００５６】
当該室内機１１６は、例えば、室内機１１６の下部に設けられた吸込み口１２６から吸込まれた空気と冷媒との間で熱交換を行うことで空調空気を生成している。生成した空調空気は、供給ダクト１２４を介して、壁部の上部に設けられた吹出し口１２２から吹き出して、乾燥室６６、主寝室８０、子供部屋１１０、１１２等の居住空間内を空調する。
【００５７】
そして、これらの吹出し口１２２により、住宅１０では、屋内の換気が行われると共に、外気温度の低い冬季などには屋内において暖房がなされ、外気温度の高い夏季などには屋内において冷房がなされる。
【００５８】
＜住宅の作用及び効果＞
次に、本実施形態に係る住宅の作用及び効果について説明する。
【００５９】
本実施形態では、例えば、図２、図３に示されるように、乾燥室６６の壁部６６Ａには、吹出し口１２２が設けられている。室内機１１６に接続された供給ダクト１２４は、天井裏１２８に配設され、当該吹出し口１２２に接続されている。これにより、吹出し口１２２からは、室内機１１６によって生成された空調空気が吹出されるようになっている。
【００６０】
一方、本実施形態では、乾燥室６６と当該乾燥室６６と隣接する主寝室８０との間には、ドア８６が設けられており、当該ドア８６の下端と床部８８の間には、アンダーカット部９０が設けられている。このため、ドア８６が閉止された状態であっても、当該アンダーカット部９０を通じて、主寝室８０と乾燥室６６とは連通しており、乾燥室６６内の空調空気は、主寝室８０内へ流入する。
【００６１】
また、本実施形態では、主寝室８０と当該主寝室８０と隣接するウォークインクローゼット９６との間には、開閉扉９２が設けられており、当該開閉扉９２の上部には、ガラリ９４が設けられている。このため、開閉扉９２が閉止された状態であっても、当該ガラリ９４を通じて、主寝室８０とウォークインクローゼット９６とは連通しており、主寝室８０内の空調空気は、ウォークインクローゼット９６内へ流入する。
【００６２】
さらに、本実施形態では、ウォークインクローゼット９６と当該ウォークインクローゼット９６と隣接するホール９８との間には、ドア１０２が設けられており、当該ドア１０２の下端と床部８８の間には、アンダーカット部１０４が設けられている。このため、ドア１０２が閉止された状態であっても、当該アンダーカット部１０４を通じて、通路７６とホール９８とは連通しており、ウォークインクローゼット９６内の空調空気は、ホール９８へ流入する。
【００６３】
そして、本実施形態では、ホール９８と当該ホール９８と隣接する機械室１１４との間には、ドア１１８が設けられており、当該ドア１１８の下端と床部８８の間には、アンダーカット部１２０が設けられている。このため、ドア１１８が閉止された状態であっても、当該アンダーカット部１２０を通じて、ホール９８と機械室１１４とは連通しており、ホール９８の空調空気は、機械室１１４内に設置された室内機１１６の吸込み口１２６へ吸込まれる。
【００６４】
すなわち、本実施形態では、乾燥室６６内へ吹出された空調空気は、主寝室８０、ウォークインクローゼット９６、ホール９８を経て室内機１１６の吸込み口１２６へ環流する。
【００６５】
一般に、空調空気は乾燥しているため、本実施形態では、空調空気が乾燥室６６内へ吹出されることによって、乾燥室６６内に干された洗濯物を効果的に乾燥させることができる。
【００６６】
また、本実施形態では、空調空気が吹出す吹出し口１２２は、乾燥室６６の上部に設けられており、乾燥室６６と当該乾燥室６６と連通する主寝室８０との連通部となるアンダーカット部９０は、乾燥室６６の下部に設けられている。このため、乾燥室６６内に吹出された空調空気は、乾燥室６６内の上部から下部へ流動する。つまり、乾燥室６６内の空調空気は対流し、これにより、洗濯物を効果的に乾燥させることができる。
【００６７】
なお、本実施形態では、乾燥室６６には広い開口部６８が設けられており、乾燥室６６は、開口部６８内に設けられたガラス７０を通じて採光可能とされている。したがって、屋内であっても洗濯物に太陽光（紫外線）を当てることができる。
【００６８】
一方、本実施形態では、乾燥室６６内で干された洗濯物により、乾燥室６６内の空調空気は加湿されるが、当該空調空気は、室内機１１６の吸込み力により、乾燥室６６と主寝室８０との連通部となるアンダーカット部９０を通じて乾燥室６６から主寝室８０へ流入する。主寝室８０内の空気は乾燥しているため、加湿を必要とする。このため、本実施形態では、乾燥室６６内で加湿された空調空気が主寝室８０内へ流入されることにより、主寝室８０内の湿度を上げることが可能となる。
【００６９】
また、本実施形態では、乾燥室６６と主寝室８０との連通部となるアンダーカット部９０は、主寝室８０の下部に設けられており、主寝室８０とウォークインクローゼット７４との連通部となるガラリ９４は、主寝室８０の上部に設けられている。このため、乾燥室６６から主寝室８０内に流入された空調空気は、ウォークインクローゼット７４へ流出する過程で、主寝室８０内の下部から上部へ流動する。つまり、本実施形態では、主寝室８０内の空調空気は対流し、これにより、主寝室８０内の湿度を効果的に上げることが可能となる。
【００７０】
また、本実施形態では、乾燥室６６から主寝室８０へ空調空気が流入する流入方向（矢印Ａ方向）に対して反対方向（矢印Ｂ方向）へ向かって主寝室８０からウォークインクローゼット７４へ空調空気が流出するように設定されている。これにより、乾燥室６６から主寝室８０内へ流入された空調空気は、ウォークインクローゼット７４へ流出する過程で、主寝室８０内でＵターンしてウォークインクローゼット７４内へ流出することとなる。
【００７１】
したがって、本実施形態では、主寝室８０内へ流入された空調空気を当該主寝室８０内で対流させることが可能となる。すなわち、本実施形態では、主寝室８０内の空調空気を高さ方向及び水平方向で対流させ、主寝室８０内の湿度をさらに効果的に上げることが可能となる。
【００７２】
さらに、本実施形態では、ウォークインクローゼット７４とホール９８との連通部となるアンダーカット部１０４は、ウォークインクローゼット７４の下部に設けられており、主寝室８０とウォークインクローゼット７４との連通部となるガラリ９４は、主寝室８０の上部に設けられている。
【００７３】
このため、本実施形態では、ウォークインクローゼット７４内に流入された空調空気は、ホール９８へ流出する過程で、ウォークインクローゼット７４内の上部から下部へ流動することとなり、ウォークインクローゼット７４内の空調空気を対流させることができる。このように、ウォークインクローゼット７４内において空調空気が対流することによって、埃が溜まりにくくなり、また、防虫対策を図ることができる。
【００７４】
また、本実施形態では、乾燥室６６と当該乾燥室６６と隣接するウォークインクローゼット９６との間には、開閉扉１０６が設けられており、当該開閉扉１０６が閉止された状態で、乾燥室６６とウォークインクローゼット９６との間で空気の流れは遮断されるようになっている。したがって、乾燥室６６内では、濡れた洗濯物により乾燥室６６内の空調空気は加湿されるが、加湿された空調空気は、ウォークインクローゼット９６内へは進入しない。
【００７５】
なお、本実施形態では、当該開閉扉１０６を開放させることで、乾燥室６６とウォークインクローゼット７４は連通する。これにより、乾燥室６６内で乾燥させた洗濯物を乾燥室６６の隣のウォークインクローゼット７４内へ収納させることができるため、家事動線がよく、大変便利であるが、必ずしも、乾燥室６６とウォークインクローゼット７４を連通させる必要はない。
【００７６】
ところで、本実施形態では、まず、前提となる考え方として、主寝室８０内の空気は乾燥しており、主寝室８０内では加湿が必要とされる。一方で、ウォークインクローゼット７４内では、空気は乾燥している方が好ましい。
【００７７】
したがって、本実施形態では、乾燥室６６内で加湿された空調空気が主寝室８０内へ流入されることにより、主寝室８０内の湿度を上げる。一方、ウォークインクローゼット７４は乾燥室６６に隣接して設けられているにも拘わらず、乾燥室６６内で加湿された空調空気がウォークインクローゼット７４へ直接流入されないようにする。なお、当該ウォークインクローゼット７４へは、主寝室８０内の空調空気が流入されるようにする。
【００７８】
前述のように、主寝室８０は乾燥しているため、本実施形態では、乾燥室６６内で加湿された空調空気が主寝室８０内へ流入され、主寝室８０内の湿度を上げるようになっている。一方、乾燥室６６からの空調空気が主寝室８０内を対流することで、当該空調空気の湿度は、乾燥室６６から流入された空調空気よりも低くなる。このため、主寝室８０の空調空気がウォークインクローゼット７４へ流入される段階では、当該空調空気の湿度は、乾燥室６６から流入された空調空気よりも低くなり、乾燥した空調空気とされる。
【００７９】
つまり、本実施形態では、主寝室８０では加湿された空調空気が流入され、ウォークインクローゼット７４では乾燥した空調空気が流入される。このように、本実施形態では、空調システム１２１を利用して、加湿をした方が良い主寝室８０と加湿をしない方が良いウォークインクローゼット７４とで空調空気の湿度を調整することが可能となる。
【００８０】
なお、本実施形態では、主寝室８０とウォークインクローゼット９６との間に設けられた開閉扉９２の上部にガラリ９４を設け、当該ガラリ９４を通じて、主寝室８０内の空調空気がウォークインクローゼット９６内へ流入するようにしている。しかしながら、主寝室８０内の空調空気がウォークインクローゼット９６内へ流入されればよいため、これに限るものではない。例えば、図示はしないが、開閉扉９２の下部にガラリが設けられてもよい。
【００８１】
[第２実施形態] 
次に、第２の実施形態に係る住宅について説明する。なお、第２の実施形態に係る住宅について、第１の実施形態に係る住宅１０において説明した本発明の要旨に係る空間部（乾燥室６６、主寝室８０、ウォークインクローゼット７４、機械室１１４）等については、同じ符号を用いて説明する。
【００８２】
＜住宅の構成＞
図４には、本発明の第２の実施形態に係る住宅１３０の２階部分１３２の間取り図が示されている。図４に示されるように、図４の図面左手前側には、ルーフバルコニー１３４が設けられている。ルーフバルコニー１３４の図面奥側には、逆Ｔ字状を成すホール１３６が設けられており、ホール１３６の図面奥側には、階段部１３８が設けられている。
【００８３】
一方、図４の図面右手前側には、インナバルコニー１４０が設けられており、インナバルコニー１４０の図面奥側に乾燥室６６が設けられている。乾燥室６６の図面左奥側（ルーフバルコニー１３４側）には、主寝室８０が設けられており、乾燥室６６の図面右奥側（外壁１４６側）には、ウォークインクローゼット７４が設けられている。
【００８４】
つまり、主寝室８０とウォークインクローゼット７４は、乾燥室６６に沿って隣接して設けられている。また、本実施形態では、ウォークインクローゼット７４の奥側に機械室１１４が設けられており、当該ウォークインクローゼット７４内に室内機１１６が設けられている。そして、主寝室８０及び乾燥室６６の壁部８０Ａ、６６Ａの上部にはそれぞれ吹出し口１２２が設けられ、当該吹出し口１２２から空調空気が吹出されるようになっている。
【００８５】
ここで、乾燥室６６と主寝室８０とは連通可能とされており、乾燥室６６と主寝室８０の間には、ドア８６が設けられ、当該ドア８６によって、乾燥室６６と主寝室８０とは区画されている。なお、当該ドア８６の下端と床部８８の間には、アンダーカット部９０（図３参照）が設けられており、ドア８６が閉止された状態であっても、当該アンダーカット部９０を通じて、乾燥室６６と主寝室８０とは連通している。
【００８６】
また、主寝室８０とウォークインクローゼット７４は連通可能とされており、主寝室８０とウォークインクローゼット７４の間には、開閉扉９２が設けられ、当該開閉扉９２によって、主寝室８０とウォークインクローゼット７４は区画されている。なお、開閉扉９２の上部には、ガラリ９４（図３参照）が設けられており、開閉扉９２が閉止された状態であっても、当該ガラリ９４を通じて、主寝室８０とウォークインクローゼット７４とは連通している。
【００８７】
さらに、乾燥室６６とウォークインクローゼット７４とは連通可能とされており、乾燥室６６とウォークインクローゼット７４との間には、開閉扉１０６が設けられ、当該開閉扉１０６によって、乾燥室６６とウォークインクローゼット７４とは区画されている。なお、この開閉扉１０６は、閉止された状態で、乾燥室６６とウォークインクローゼット７４との間で空気の流れは遮断されるようになっている。
【００８８】
また、ウォークインクローゼット７４と機械室１１４との間には、ドア１１８が設けられており、このドア１１８の下端と床部８８の間には、アンダーカット部１２０（図３参照）が設けられている。このため、当該ドア１１８が閉止された状態であっても、当該アンダーカット部１２０を通じて、ウォークインクローゼット７４と機械室１１４とは連通している。
【００８９】
＜住宅の作用及び効果＞
図３、図４に示されるように、本実施形態では、乾燥室６６の壁部６６Ａからは、室内機１１６によって生成された空調空気が吹出されるようになっている。一方、本実施形態では、乾燥室６６と当該乾燥室６６と隣接する主寝室８０との間には、ドア８６が設けられており、当該ドア８６の下端と床部８８の間には、アンダーカット部９０が設けられている。このため、当該アンダーカット部９０を通じて、乾燥室６６内の空調空気は、主寝室８０内へ流入する。
【００９０】
また、本実施形態では、主寝室８０と当該主寝室８０と隣接するウォークインクローゼット７４との間には、開閉扉９２が設けられており、当該開閉扉９２の上部には、ガラリ９４が設けられている。このため、当該ガラリ９４を通じて、主寝室８０内の空調空気は、ウォークインクローゼット７４内へ流入する。
【００９１】
さらに、本実施形態では、ウォークインクローゼット７４と機械室１１４との間には、ドア１１８が設けられており、当該ドア１１８の下端と床部８８の間には、アンダーカット部１２０が設けられている。このため、当該アンダーカット部１２０を通じて、ホール９８の空調空気は、機械室１１４内に設置された室内機１１６の吸込み口１２６へ吸込まれる。
【００９２】
すなわち、本実施形態では、乾燥室６６内へ吹出された空調空気は、主寝室８０、ウォークインクローゼット７４を経て室内機１１６の吸込み口１２６へ環流する。
【００９３】
以上のように、本実施形態では、空調空気が乾燥室６６内へ吹出されることによって、乾燥室６６内に干された洗濯物を効果的に乾燥させることができる。
【００９４】
また、本実施形態では、空調空気が吹出す吹出し口１２２は、乾燥室６６の上部に設けられており、乾燥室６６と当該乾燥室６６と連通する主寝室８０との連通部となるアンダーカット部９０は、乾燥室６６の下部に設けられている。このため、乾燥室６６内に吹出された空調空気は、乾燥室６６内の上部から下部へ流動する。つまり、乾燥室６６内の空調空気は対流し、これにより、洗濯物を効果的に乾燥させることができる。
【００９５】
一方、本実施形態では、乾燥室６６内で干された洗濯物により、乾燥室６６内の空調空気は加湿されるが、当該空調空気は、室内機１１６の吸込み力によりアンダーカット部９０を通じて乾燥室６６から主寝室８０へ流入する。主寝室８０内の空気は乾燥しているため、加湿を必要とする。このため、乾燥室６６内で加湿された空調空気が主寝室８０内へ流入されることにより、主寝室８０内の湿度を上げることが可能となる。
【００９６】
また、本実施形態では、乾燥室６６と主寝室８０との連通部となるアンダーカット部９０は、主寝室８０の下部に設けられており、主寝室８０とウォークインクローゼット７４との連通部となるガラリ９４は、主寝室８０の上部に設けられている。このため、主寝室８０内に流入された空調空気は、主寝室８０内の下部から上部へ流動する。つまり、主寝室８０内の空調空気は対流し、これにより、主寝室８０内の湿度を効果的に上げることが可能となる。
【００９７】
さらに、本実施形態では、ウォークインクローゼット７４と機械室１１４との連通部となるアンダーカット部１１８は、ウォークインクローゼット７４の下部に設けられており、主寝室８０とウォークインクローゼット７４との連通部となるガラリ９４は、主寝室８０の上部に設けられている。このため、ウォークインクローゼット７４内に流入された空調空気は、ウォークインクローゼット７４内の上部から下部へ流動することとなり、ウォークインクローゼット７４内の空調空気を対流させることができる。
【００９８】
また、本実施形態では、乾燥室６６と当該乾燥室６６と隣接するウォークインクローゼット７４との間には、開閉扉１０６が設けられ、当該開閉扉１０６が閉止された状態で、乾燥室６６とウォークインクローゼット９６との間で空気の流れは遮断されるようになっている。このため、乾燥室６６内で干された洗濯物により乾燥室６６内の空調空気は加湿されるが、加湿された空調空気は、ウォークインクローゼット９６内へは進入しない。
【００９９】
なお、本実施形態では、当該開閉扉１０６を開放させることで、乾燥室６６とウォークインクローゼット７４は連通する。これにより、乾燥室６６内で乾燥させた洗濯物を乾燥室６６の隣のウォークインクローゼット７４内へ収納させることができるため、家事動線がよく、大変便利である。
【０１００】
以上のように、本実施形態では、空調システム１２１を利用して、加湿をした方が良い主寝室８０と加湿をしない方が良いウォークインクローゼット７４とで空調空気の湿度を調整することが可能となる。
【０１０１】
なお、本実施形態では、ユニット住宅について説明したが、鉄骨軸組工法により建築される住宅に適用されてもよい。
【０１０２】
以上、本発明の実施形態の一例について説明したが、本発明の実施形態は、上記に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１０３】
１０   住宅
６６   乾燥室（第１空間部）
７４   ウォークインクローゼット（第３空間部）
８０   主寝室（第２空間部）
１０６ 開閉扉
１１６ 室内機（空調装置）
１３０ 住宅
【図１】
2020128677.tif 000003
【図２】
2020128677.tif 000004
【図３】
2020128677.tif 000005
【図４】
2020128677.tif 000006